Podtech/llm-jp-corpus-v4-ja_patent huggingface dataset:
(57)【要約】【課題】本考案は、地球規模で社会問題になっている、使い捨てプラスチック製ストローによる環境汚染に対処するため、繰り返し使用に耐え、且つ美的にも優れたストローを提供することにある。【解決手段】本考案は、ストローに適した内径を持つ竹などの筒状植物性天然素材を、所定の長さに裁断し、更にその内外面に漆塗装を施したストローを提供することにある。竹などの植物性天然素材を使うことで環境に優しく、強度があり、内外面を漆塗装することで飲食物が素材に染み込むのを防止し繰り返し使用でき、また、日本独自の美術工芸品の漆器として、贈答品としても優れている。【選択図】図１
0003223326.tif 000002
【実用新案登録請求の範囲】
【請求項１】
筒状植物性天然素材の内外面に漆塗装を施した漆塗装ストロー。
【請求項２】
前記筒状植物性天然素材が竹からなる請求項１に記載の漆塗装ストロー。
【考案の詳細な説明】
【技術分野】
【０００１】  本考案は、筒状植物性天然素材の内外面を漆塗装した、ストローに関するものである。
【背景技術】
【０００２】  ストローは、古くは乾燥した麦の茎などが使用されていた。しかし、石油化学工業の発展に伴い、安価に大量生産できることから、プラスチック製のストローが主流となっていた。プラスチックは、自然界にそのまま廃棄されると、その耐久性から分解され難く、土中や海中に堆積浮遊し、微細化したマイクロプラスチックが土壌や海洋汚染を引き起こし、食物連鎖から、海洋生物が体内にため込む、など地球規模で深刻な環境問題を引き起こしている。使い捨てが主流のプラスチック製ストローも例外ではなく、環境汚染を引き起こさないストローが求められている。【０００３】  ストローが環境汚染を引き起こさないようにする対策として、ストロー原料として天然物からなる素材を使う方法と、自然分解性のプラスチック材料を原料とする方法がとられている。【０００４】  しかしながら、従来の考案は、何れも使い捨てを前提とした、耐久性の低い安価なストローであり、廃棄物削減にはつながらない。
【先行技術文献】
【特許文献】
【０００５】
【特許文献１】実用新案登録第３２１９８９３号
【特許文献１】実用新案登録第３２２０６４８号
【特許文献２】実用新案登録第３２２１０５４号
【考案の概要】
【考案が解決しようとする課題】
【０００６】  本考案は、以上のような従来の欠点に鑑み、植物性天然素材を使い、耐久性があり繰り返し使用できる、漆塗装ストローの提供を目的とする。
【課題を解決するための手段】
【０００７】  植物性天然素材のストローとして使用されてきた、例えば乾燥麦の茎は容易に折れたり潰れてしまい耐久性に乏しい。また、竹を素材としたストローも市販されているが、丈夫ではあるものの、そのままでは飲食物が内外面に染み込み、汚れ、カビが発生する、等の問題が有りやはり使い捨てが前提となっていた。そこで、本考案では、天然の竹を素材として使用し、充分乾燥した後、節が有る場合は節を抜き、更に内外面に漆塗装を施して、繰り返し使用可能なストローを提供する。
【考案の効果】
【０００８】  漆塗装は、古くから漆器として食器に使用されて来たように、通常の食材に対しては耐久性があり、使用後軽く洗浄すれば比較的容易に汚れが落ち、繰り返し使用することが出来る。
一方、漆器は日本を代表する伝統工芸品として、美的に優れ、海外向け贈答品や土産品としても重宝されている。本考案による、漆塗装ストローは、環境汚染と使い捨て文化に一石を投じ、且つ伝統工芸の漆器応用製品として芸術的にも優れている。
【図面の簡単な説明】
【０００９】
【図１】本考案で使用する節のある竹の外観図。
【図２】本考案で使用する節のある竹の断面図。
【図３】本考案で使用する節の有る竹で、節から枝が２本伸びている竹の外観図。
【図４】本考案による漆塗装ストローの製造工程図。
【考案を実施するための形態】
【００１０】  以下に、図面を参照しながら本考案を実施するための最良の実施形態について詳述する。
【実施例】
【００１１】  本考案の実施例を詳述する。ここでは、筒状植物性天然素材としては竹を用いたが、例えば棒状の植物性天然素材を円筒状に貫通穴を穿ったものを用いても良い。竹には色々な品種があるが、ストローに適した、内径５ｍｍφ前後で長さ２０ｍｍ前後の竹筒であれば、竹の品種には拘らない。【００１２】図１は本考案で使用する節のある竹の外観図、図２はその断面図を示す。これらの図に示すように、所定の長さに切り出して内外面を良く洗浄した竹筒において、両端部をそれぞれ吸口側端面１、吸入側端面２とし、竹筒に節３が有る場合には、節３の内部を貫通させて節の内面４を凹凸が無いように綺麗に仕上げストロー状にする。節３は吸口側端面１から三分の一前後に有ると、美的にもバランスが取れ、より好ましい。【００１３】また、図３には、節から枝を二本伸ばした竹ストロー素材の例を示した。節３から伸びた枝５はＶ字状なって、根本から２０ｍｍ程で切断するのが好ましい。ストローとして使用した際、枝５のＶ字をグラスの縁に引っ掛けると使い勝手が良い。また、取りだした時、Ｖ字を下にしてテーブルに置くと、箸置きのような役割をして好ましい。【００１４】上記した竹の外表面及び内表面に漆を塗装して、本考案の漆塗装ストローは完成する。【００１５】  図４に漆塗装ストローの製造手順を示した。乾燥した原料竹を、ストローサイズに切断し、熱湯で煮沸し油抜きをする。乾燥後節を抜き、節部内面を滑らかに仕上げ、両端面の面取りをする。外面全体を水研き（３２０番）した後、外面に剥離止め入り漆を塗る。外面を更に細かい６００番で水研きし２回目の透き漆塗装をする。２日間乾燥した後６００番で水研きをする。竹筒内側穴に漆を流し込み内面を塗装する。内面と両端面を研く。製品の色味に応じて朱或は黒漆を上塗りし、２日間乾燥させる。最後に両端面を塗り乾燥して完成する。
【符号の説明】
【００１６】１  吸口側端面
２  吸入側端面
３  節
４  節の内面
５  枝
【図１】
0003223326.tif 000003
【図２】
0003223326.tif 000004
【図３】
0003223326.tif 000005
【図４】
0003223326.tif 000006
(57)【要約】      （修正有）【課題】手乗せコマの回転時間が短いと云う難点を無くして、コマの回転時間を大幅に延ばす工夫をし、手乗せの技を楽しむだけではなく、回転時間の長さを活用して他の遊びへの応用を図るための手乗せコマ軸受具を提供する。【解決手段】円盤の外周部が側壁状をなし、最下部から円の中心に向けて緩やかな曲線を描く台座を有する手乗せコマ軸受具において、前記台座のコマと接する側は平滑な表面を有し、前記外周部の側壁上部の外側の左右対称２ヶ所に張出部２を設けて、その張出部に横長のスリットを穿ち、スリットを介してゴムバンド４を取り付けたもの。【選択図】図１
0003223327.tif 000002
【実用新案登録請求の範囲】
【請求項１】
円盤の外周部が側壁状をなし、その最下部から円の中心に向けて緩やかな曲線を描く台座を有する手乗せコマ軸受具において、前記台座のコマと接する側は平滑な表面を有し、前記外周部の側壁上部の外側の左右対称２ヶ所に張出部を設けて、その張出部に横長のスリットを穿ち、スリットを介してゴムバンドを取り付けた手乗せコマ軸受具。
【考案の詳細な説明】
【技術分野】
【０００１】本考案は玩具に関するものである。
【背影技術】
【０００２】紐を使って廻す手乗せコマ遊び（通称博多独楽）では、コマの心棒最下部と掌との摩擦抵抗が大きいため、コマの回転時間が短いと云う難点がある。
【考案の概要】
【考案が解決しようとする課題】
【０００３】手乗せコマの回転時間が短いと云う難点を無くして、コマの回転時間を大幅に延ばす工夫をし、手乗せの技を楽しむだけではなく、回転時間の長さを活用して他の遊びへの応用を図るための遊具を提供しようとするものである。
【考案を実施するための手段】
【０００４】本考案はコマの回転時間が短い原因を排除する事で難点を解消する。回転するコマは掌で受け止めるのではなく、本考案の軸受具で受け止める事で解決する。具体的には軸受具の張出部に設けたスリットにゴムバンドを取り付けて、軸受具を掌に装着する際にゴムバンドの伸縮性が活かされて、掌の大小に追随する機能を果たす。回転するコマを手乗せする際には、本考案の軸受具をコマを廻す利き腕とは反対の掌に装着して、軸受具に回転するコマを受け止める。これに依ってコマ心棒最下部と平滑な面の軸受具との摩擦抵抗を小さくして、コマの回転時間を延ばす事を可能にする。
【図面の簡単な説明】
【０００５】
【図１】本考案に係るコマ軸受の一例の平面図
【図２】本考案に係るコマ軸受の一例の側面の断面図
【図３】図１のＡ部拡大図
【図４】本考案に係るコマ軸受を掌に装着した一例を示す図
【符号の説明】
【０００６】  １  外周側縁
２  張出部
３  ゴムバンド取付用スリット
４  ゴムバンド
５  湾曲部底板
Ａ  拡大位置
【図１】
0003223327.tif 000003
【図２】
0003223327.tif 000004
【図３】
0003223327.tif 000005
【図４】
0003223327.tif 000006
(57)【要約】      （修正有）【課題】雨の日に自動車に子どもや介護される人を乗せる場合、傘の下で両手を使って乗せることができる傘支持スタンドを提供する。【解決手段】傘を支持する鉄などの素材で出来たスタンドを、自動車の屋根に強力磁石を使って固定させ、スタンドの先端部に樹脂で出来た挟み込み部を設け、傘の柄を挟み込み傘を固定し使用する。【選択図】図２
0003223320.tif 000002
【実用新案登録請求の範囲】
【請求項１】
強力磁石で自動車の屋根に取り付け、傘の柄を挟み込み傘を保持し、前記傘の下で作業をすることが可能なスタンドを特徴とする磁石で接着する傘支持スタンド。
【考案の詳細な説明】
【技術分野】
【０００１】本考案は、傘支持スタンドに強力磁石を組み込み、自動車の屋根に固定できるようにした傘支持スタンドに関するものである。
【背景技術】
【０００２】傘支持スタンドは、自転車にねじで等で取り付けたり、自動車の窓に吸盤で取り付けたりして傘を差しながら、両手が空くような商品として利用されている。
【考案の概要】
【考案が解決しようとする課題】
【０００３】自動車に取り付ける傘支持スタンドは、窓に吸盤でくっつけたり、一部の車種にのみ純正品として使える自動車のグリップ部に固定したりするものがあるが、車種を問わず、簡単に取り付けられる傘支持スタンドはなかった。
【課題を解決するための手段】
【０００４】本考案は、傘支持スタンドの底面に強力磁石を組み込み、自動車の屋根に固定し、傘の柄の部分を挟み込み傘を固定する。
【考案の効果】
【０００５】雨の日、乳児や幼児を自動車に乗せたり、荷物を積み込む場合雨に濡れず傘の下で行なうことができる。【０００６】介護をしている人を自動車に乗せる場合、雨に濡れず傘の下で行なうことができる。
【図面の簡単な説明】
【０００７】
【図１】傘支持スタンド本体の図
【図２】自動車の屋根に傘支持スタンドを強力磁石で設置し、傘を取り付けた図
【考案を実施するための形態】
【０００８】傘支持スタンドを支える底面部は、安定を期すため４つの強力磁石が埋め込まれ、傘を支えるア−ム部は、鉄等比較的重い金属の素材で出来ており、傘をクリップする部分は、樹脂製で傘を挟み込むようになっている。
【実施例】
【０００９】以下添付図に従って、一実施例を説明する。［図１］の１は傘支持スタンドを支える底面部であり底に強力磁石が埋め込まれている。２は本体ア−ム部であり、安定を期すため三角形の形状を組み込んである。３は傘を挾むクリップ部であり、バネが効いたクリップに傘の柄を挟み込む形状と構造になっている。［図２］は［図１］の傘支持スタンドを自動車の屋根に装着し、傘の柄を挟み込んだ図である。
【符号の説明】１傘支持スタンの底面部であり自動車との接着面に強力磁石が埋め込んである
２傘支持スタンドのア−ム部
３傘支持スタンドクリップ部
４傘
【図１】
0003223320.tif 000003
【図２】
0003223320.tif 000004
(57)【要約】      （修正有）【課題】墓参者が多いときであっても、墓参者の各々が花立ての置き場に困ることがなく、手軽に墓参りを行える花立て支持具を提供する。【解決手段】花立てを上方から挿入するための複数の孔部２ａと、複数の孔部を保持するための保持部を備える花立て支持具。複数の孔部は天板２に穿設され、保持部は、天板から下方に延在する脚部４Ａ、４Ｂとすることができる。天板の下方に、天板に平行に配置され、上面視で天板の複数の孔部と重なるように穿設された複数の孔部３ａを備える板状部材３を備えることができる。【選択図】図１
0003223342.tif 000002
【実用新案登録請求の範囲】
【請求項１】
花立てを上方から挿入するための複数の孔部と、
該複数の孔部を保持するための保持部を備えることを特徴とする花立て支持具。
【請求項２】
前記複数の孔部は天板に穿設され、
前記保持部は、前記天板から下方に延在する脚部であることを特徴とする請求項１に記載の花立て支持具。
【請求項３】
前記天板の下方に、前記天板に平行に配置され、上面視で前記天板の複数の孔部と重なるように穿設された複数の孔部を備える板状部材を備えることを特徴とする請求項２に記載の花立て支持具。
【考案の詳細な説明】
【技術分野】
【０００１】
本考案は、墓に花を供える際に使用する花立てを支持する花立て支持具に関する。
【背景技術】
【０００２】
墓に花を供える際には、花をステンレスやアルミ製の筒状の花立てに入れ、花立てを墓の左右両脇に穿設された孔に挿入したり、下端部が円錐状に形成されたプラスチック製の野花立てを墓の近くの地面に刺したりしている。
【考案の概要】
【考案が解決しようとする課題】
【０００３】
上述のように、墓には筒状の花立てを挿入する孔は通常２つしかないため、それ以上の花立ては墓に供えることができず、地面に直接置いたり、刺したりせざるを得ない。特に、お盆の時期等で墓参者が多い場合には、墓参者の各々が花を持参して花立てに挿入して供えようとしても、花立の置き場がなく不便である。
【０００４】
そこで、本考案は、上記問題点を解消させるためになされたものであって、墓参者が多いときであっても、墓参者の各々が花立ての置き場に困ることがなく、手軽に墓参りを行えるようにすることを目的とする。
【課題を解決するための手段】
【０００５】
上記目的を達成するため、本考案は、花立て支持具であって、花立てを上方から挿入するための複数の孔部と、該複数の孔部を保持するための保持部を備えることを特徴とする。
【０００６】
本考案によれば、複数の孔部で花立てを支持することができるため、墓参者が多い場合でも花立ての置き場に困ることがなく便利である。
【０００７】
前記花立て支持具において、前記複数の孔部が天板に穿設し、前記保持部を前記天板から下方に延在する脚部とすることができ、簡単な構成の花立て支持具を提供することができる。
【０００８】
また、前記天板の下方に、前記天板に平行に配置され、上面視で前記天板の複数の孔部と重なるように穿設された複数の孔部を備える板状部材を備えることで、簡単な構成で花立てを安定して支持することができる。
【考案の効果】
【０００９】
以上のように、本考案によれば、墓参者が多いときであっても、墓参者の各々が花立ての置き場に困ることがなく、手軽に墓参りを行うことができる。
【図面の簡単な説明】
【００１０】
【図１】本考案に係る花立て支持具の一実施の形態を示す図であって、（ａ）は正面図、（ｂ）は（ａ）のＡ−Ａ矢視図、（ｃ）は側面図、（ｄ）は上面図、（ｅ）は（ｃ）のＢ−Ｂ矢視図である。
【図２】本考案に係る花立て支持具を２つ墓に置いた状態を示す概略斜視図である。
【考案を実施するための形態】
【００１１】
次に、本考案を実施するための形態について図面を参照しながら詳細に説明する。
【００１２】
図１は、本考案に係る花立て支持具の一実施の形態を示し、この花立て支持具１は、天板２と、天板２の下方に天板２に平行に配置された板状部材３と、天板２及び板状部材３に連結された一対の脚部４（４Ａ、４Ｂ）とで構成される。
【００１３】
天板２及び板状部材３には、複数（図示例では６つ）の孔部２ａ、３ａが穿設される。これらの孔部２ａ、３ａは、同じ開口径で上面視で重なるように配置される。
【００１４】
脚部４（４ａ、４ｂ）は、帯板をコの字状に曲折させて形成したものであって、天板２及び板状部材３に連結される。
【００１５】
天板２、板状部材３及び脚部４の材質は特に限定されないが、ステンレスやアルミニウム等の金属や樹脂等とすることができる。
【００１６】
次に、上記構成を有する花立て支持具１の使用方法について図２を参照しながら説明する。
【００１７】
同図は、墓１０の側壁１０ａ、１０ｂの内側に花立て支持具１を左右に一つずつ配置した状態を示している。花立て支持具１を置く位置は特に限定されないが、このように配置することで、墓１０と一体感があり、見栄えがよい。花立て支持具１は、風や花の重みなどで横転したり、墓所の外に飛ばされてしまう懸念があるので、花立て支持具１の脚部４の裏面に耐候性両面テープを貼着したり、杭又はアンカーボルトなどを打ち付けて固定することが好ましい。
【００１８】
各々の墓参者は、持参した花を挿入した花立て１２を花立て支持具１の天板２及び板状部材３に穿設された孔部２ａ、３ａに挿入することで、花立て１２が花立て支持具１によって支持されるので、従来のように置き場に困ることがない。また、花立て１２は、整然と花立て支持具１に並べて支持されるため、外観も綺麗である。
【００１９】
さらに、天板２及び板状部材３に穿設された孔部２ａ、３ａの２段で花立て１２を支持するため、花立て１２を安定して支持することができる。
【００２０】
尚、上記実施の形態では、花立て支持具１を、薄い板状の天板２、板状部材３及び帯状の脚部４で構成することで、軽量化して持ち運びにも便利であるが、花立て支持具１の構成はこれに限定されず、花立て１２を上方から挿入するための複数の孔部を備え、複数の孔部を保持するための保持部を備えていれば種々の構成が可能である。
【００２１】
例えば、天板２、板状部材３ではなく、これらを網状の部材としたり、脚部４を一対の帯状部材ではなく、４本の棒状部材で形成したり、孔部２ａ、３ａの数や位置も種々変更可能である。
【００２２】
さらに、花立て支持具１の置く位置も墓１０の側壁１０ａ、１０ｂの内側ではなく、外側であってもよく、適宜変更可能である。
【符号の説明】
【００２３】
１  花立て支持具
２  天板
２ａ  孔部
３  板状部材
３ａ  孔部
４（４Ａ、４Ｂ）  脚部
１０  墓
１０ａ、１０ｂ  側壁
１２  花立て
【図１】
0003223342.tif 000003
【図２】
0003223342.tif 000004
(57)【要約】      （修正有）【課題】学校でのタブレットの運用において現状タブレットの台数をまとめての階間の移動や別教室への移動できるタブレット収納バッグを提供する。【解決手段】バッグ本体は、前面パネル５、背面パネル１、左右側面パネル２、底板パネル９、及び仕切りパネル３とから構成され、左右の側面パネル２には、外側に移動用の取っ手６が設けられ、本体前面には、下側に側面パネルの高さの半分以下の前面パネルと、上側に両側面パネルから落下防止ベルト４が架設され、バッグ本体に１つまたは複数の仕切りパネル３が設けられる。【選択図】図４
0003223918.tif 000002
【実用新案登録請求の範囲】
【請求項１】
バッグ本体は、前面パネル５，背面パネル１，左右側面パネル２，底面パネル９、及び仕切りパネル３とから構成され、左右の側面パネル２には、外側に移動用の取っ手６が設けられ、本体前面には、下側に側面パネルの高さの半分以下の前面パネルと、上側に両側面パネルから落下防止ベルト４が架設され、バッグ本体に１つまたは複数の仕切りパネル３が設けられたことを特徴とするタブレット収納バッグ。
【考案の詳細な説明】
【技術分野】
【０００１】タブレットを収納して持ち運ぶバッグである。
タブレットを収納するボックスなどに収納する事でまとめてタブレットを移動できるようにする。
【背景技術】
【０００２】学校でのタブレットの運用において、現状タブレットの台数をまとめての階間の移動や別教室への移動が難しかった。また、移動させるにはスチールのボックスや、キャスター移動できる製品を使用していた。
【考案の概要】
【考案が解決しようとする課題】
【０００３】スチールのボックスや、キャスター移動できる製品では重量があり移動する事が難しい状況を解決する。
【課題を解決するための手段】
【０００４】製品に金属を使わず軽量で作ることで持ち運びの自由度を高める、また持ち手を工夫し二人で持ち運び出来るようにする。
【考案の効果】
【０００５】授業と授業の間時間で授業準備が出来しっかりと授業時間を確保できる。
学校でのタブレットの活用が活性化され多くのクラスでの活用が可能となる
【図面の簡単な説明】
【０００６】
【図１】（ａ）本考案の平面図  （ｂ）本考案の正面図  （ｃ）本考案の側面図
【図２】本考案のＡ−Ａ断面図
【図３】本考案のＢ−Ｂ断面図
【図４】本考案の斜視図
【考案を実施するための形態】
【０００７】本考案のバッグ本体は、前面パネル５，背面パネル１，左右側面パネル２，底板パネル９、及び仕切りパネル３とから構成されている。
各パネル衝撃を吸収する芯材が入っており、ナイロン等の被覆素材で芯材を内包している。
左右の側面パネル２には、外側に移動用の取っ手６が縫着されている。
前面パネル５の高さは、側面パネル２の高さの半分以下で、本体の前側下部に設けてある。
バッグにタブレット端末を入れた際、充電ケーブルを挿すことを遮らない高さとしてある。
側面パネルの前側上部には、同一線上に１つまたは複数の穴を設ける。また、この穴は、後述するタブレット落下防止ベルト４が挿入されるための穴で、長穴形状となっている。
なお、穴の周縁には補強のためベルト止め金具８が設けられている。
【０００８】タブレット落下防止ベルト４は、両側面パネル２により本体前面上部に架設され、ベルトの両端に面ファスナーがそれぞれ設けられ、適度な長さで調整し固定できるようになっている。
背面パネル１は、複数の芯材を、間隔を置いて並べ、被覆素材により内包してある。
仕切りパネル３は、前方に傾斜が付いていて、中身が取り易い構造になっている。仕切りパネル３は、背面パネル１と底板パネル９に縫着されている。
前面パネル５の外側には、名札フォルダー７が取り付けられている。名札フォルダー７はビニールレザー製で、上部以外が縫製にて前面パネル５に固定されていて、上部から薄いモノを入れられる。名札フォルダー７は中心部が透明ビニールで出来ていて、本体ビニールレザーに縫製にて取り付けられ中身が見られる。
本考案は、以上のような構成である。
【０００９】本考案を使用する時は、前面パネル５、左右側面パネル２、背面パネル１、底板パネル９、仕切りパネル３で仕切られた３つのエリアに上部よりタブレット端末を挿入する。
仕切りパネル３により３つのエリアに仕切られた部分にそれぞれ３〜５台程度のタブレットを収納する。
【００１０】タブレット端末が落下しないよう落下防止ベルト４を左右側面パネル前側上部同一線上に設けられたベルト止め金具８に２本面ファスナー固定する事で前方への落下を防ぐ。
タブレットの持ち主、クラスが分かるよう名札フォルダー７には名札を入れ持ち主が分かるようにする。
この状態で保管庫に収納となるが、保管庫内では落下防止ベルト４の上下の隙間にタブレットの充電口を持ってくる事で充電しながら保管する事ができる。
【００１１】保管庫からの取り出しは落下防止ベルト４もしくは左右に設置された移動用取っ手６を使う事で取り出すことができる。
タブレット端末の取り出しは仕切りパネル３に傾斜が付いている事で前方からの取り出しが容易になっている。
【図１】
0003223918.tif 000003
【図２】
0003223918.tif 000004
【図３】
0003223918.tif 000005
【図４】
0003223918.tif 000006
(57)【要約】      （修正有）【課題】高齢者、頻尿者が外出時に尿排出に困らない携帯用トイレを提供する。【解決手段】足首に巻き付けられる形状物の、内側と外側との間に尿が溜められるように加工した尿袋器具１に、男性の尿排出元へ先端２が接合できる尿排管３を繋いで、排尿が出来るようにした携帯用トイレである。【選択図】図１
0003223917.tif 000002
【実用新案登録請求の範囲】
【請求項１】
巻き付け式尿袋を足首に巻き付けて、男性の尿排出元に接合した尿排管とを繋いで、排尿をする携帯用排尿方法。
【考案の詳細な説明】
【技術分野】この考案は、高齢者、頻尿者が外出時に尿排出に困らない携帯用排尿方法である。
【背景技術】長時間のバス移動、長時間の会議、講演聴衆、沿道でのマラソンや、スポーツ等の街頭観戦、このような現場に於いて排尿の場所設備は少なく、その為に頻尿者の多くが困っている現状である。
【考案の開示】
【考案が解決しようとする課題】高齢者が多くなる一方、また頻尿者も多い中に於いて、外出を嫌がる、外出を妨げている頻尿者の大きな悩みの課題解消が求められている。
【課題を解決するための手段】巻き付け式尿袋を足首に巻き付けて、男性の尿排出元に取り付けた尿排管とを接続した、携帯用の尿排出方法を用いる事にて頻尿者の悩み課題を解決出来る。
【考案の効果】頻尿者に於いては、長時間のバス旅行、会議、講演聴衆、スポーツ、マラソン等の長時間の見物は苦痛であったが、尿袋足巻き携帯用排尿方法にて、その苦痛を無くす事が出来る。
【産業上の利用可能性】今後ますます高齢者が増え、伴って頻尿者も増えるので多大なる利用の可能性ががある。
【図面の簡単な説明】
【図１】巻き付け式の尿袋を足首に巻き付け、男性の尿排出元に接合した尿排管とを接合した状態の全体図である。符号１は、巻き付け式尿袋  符号２は、男性尿排出元接合部  符号３は、尿排管  符号４は、尿袋と尿排管との接続部  符号５は、上下可動尿排出管
【図２】巻き付け式の尿袋を広げた状態の尿袋の図である。符号１は、巻き付け式尿袋  符号２は、尿排管との接続部  符号３は、上下可動尿排出管
【図１】
0003223917.tif 000003
【図２】
0003223917.tif 000004
【手続補正書】
【提出日】令和1年8月16日(2019.8.16)
【手続補正１】
【補正対象書類名】実用新案登録請求の範囲
【補正対象項目名】全文
【補正方法】変更
【補正の内容】
【実用新案登録請求の範囲】
【請求項１】
足首に巻き付けられる形状物の、内側と外側との間に尿が溜められるように加工した尿袋器具に、男性の尿排出元へ接合した尿排管とを繋いで、排尿が出来る携帯用トイレ。
(57)【要約】      （修正有）【課題】格納した現金をあらかじめシステム上設定した条件通りに定期的に定額ずつ払出す機械装置であって、条件設定をすることで現金管理が困難な人とその介助者の負担を軽減する。【解決手段】機械装置内に格納した現金を、電子的にあらかじめ設定された暦日、時間，回数、加算減算条件に応じ一定金額ずつ払出す装置であって、現金払出のトリガーを正規に現金を受け取れる者の生態認証システム１を有し、日々の装置稼働状況、現金残高、装置の異常などについて装置の管理者等にＥメールを定期的に自動送信する機能を持つ。【選択図】図１
0003223914.tif 000002
【実用新案登録請求の範囲】
【請求項１】
機械装置内に格納した現金を、電子的にあらかじめ設定された暦日、時間，回数、加算減算条件に応じ一定金額づつ払出す装置。
【請求項２】
請求項１の装置について、現金払出のトリガーを正規に現金を受け取れる者の生態認証とすること。
【請求項３】
請求項１の装置について、日々の装置稼働状況、現金残高、装置の異常などについて装置の管理者等にＥメールを定期的に自動送信する機能を持つこと。
【考案の詳細な説明】
【技術分野】
【０００１】本考案装置は、金銭管理ができない高齢者や障がい者等が、管理者の協力のもと自身の居住宅内において定期的に定額現金を受け取れる装置である。
【背景技術】
【０００２】電子的支払金額指示に基づき現金の払出しをする機械装置は、オートキャッシャーや自動釣銭機などの名称で各種店舗や郵便局などにおいてＰＯＳレジシステムなどと連動する運用形態により、個々の買い物の売上金の受入や釣銭の払出を行うといった実用に供されている。なんらかの電子的支払金額指示データに基づき、装置内に格納された現金の中から必要な額だけ利用者に払出す装置としては必要十分な機能を有している。
【先行技術文献】
【非特許文献】
【０００３】
【非特許文献１】富士電機  紙幣・硬貨分離型自動釣銭機ＥＣＳ−７７７製品カタログ、富士電機株式会社２０１９年１月
【非特許文献２】グローリー工業株式会社ホームページ製品情報サイト  ｈｔｔｐｓ：／／ｗｗｗ．ｇｌｏｒｙ．ｃｏ．ｊｐ／ｐｒｏｄｕｃｔ／ｄｅｔａｉｌ／ｉｄ＝８４０
【考案の概要】
【考案が解決しようとする課題】
【０００４】高齢者や障がい者（本稿中は以下「受取者」と称する）には、現金の計画的な管理が困難な人たちが少なからず存在する。そういった受取者に対して現在は親族などの介助者（本稿中は以下「管理者」と称する）が、受取者に対し毎日のように生活費を直に渡すという行動をしている。この実態における、管理者、受取者双方の負担は大きい。
【課題を解決するための手段】
【０００５】先行技術としてオートキャッシャーや自動釣銭機と称される機械装置が、ＰＯＳレジシステム等からの売上金額電子データと購買者が支払った金額の差額を演算して現金払出をするのに対し、本考案装置は装置に内包したシステムにあらかじめ現金を払出す暦日、時間、金額、その他条件を設定入力し、受取者からの生態認証トリガーにより払出しを行う。【０００６】加えて本考案装置には通信モジュールを内包。受取者が払出を受けた履歴、過剰に払出をしようとした生態認証実施履歴、本考案装置内現金の残高、施錠部分の解錠履歴、払出条件変更入力履歴など、管理者に対しメールが自動配信される仕組みとする。
【考案の効果】
【０００７】管理者は、本考案装置内に一定の現金をストックしておくことで、受取者に日々現金を渡すという作業から解放され、受取者の生活補助者としての負担が大幅に軽減される。受取者としては、自身の管理能力に不相応な多額の現金を持ち歩く危険や、管理者の都合により現金受取が不安定となる可能性から解放され安定的に生活費を維持できる。
【図面の簡単な説明】
【０００８】
【図１】本考案装置の制作例を示す図面である。
【図２】本考案装置のシステム図
【図３】本考案装置の利用者視点での利用方法ならびに諸比較
【考案を実施するための形態】
【０００９】運用としては、本考案装置を受取者が居住する住宅内に設置し、管理者が本考案装置内に現金を投入し払出スケジュール条件を設定・入力する。受取者は現金が必要な際に本考案装置にある生態認証を経て、管理者が入力した払出条件に合致すれば、手元に現金を払い出せる。もし、払出条件に一致しなければその旨ディスプレイ表示と音声通知がなされ、過剰に現金が払出されないシステムとする（例、払出条件が１日当り１回であるにもかかわらず受取者が同日に２回目の生態認証を行った場合は払出されない）。また、設定したスケジュール通りトリガーされなかった場合に生じる未払金について、次回トリガーの際まとめて払出すかどうかの条件設定も可能とする。
【実施例】
【００１０】以下、添付図面１ならびに２に沿って実施例を説明する。管理者は本考案装置を受取者居住所内に持込み６の固定金具で柱や壁に厳重に固定する（盗難防止）。続けて５の現金収容口を解錠し現金を投入（例、千円札１０枚）する。同時に現金収容口内にあるＵＳＢポートと管理者手持ちのパソコンもしくはモバイル機器を接続し、受取者と打ち合わせた払出条件（例、翌日以降１日１回１０００円、暦日は午前８時開始、未払金合算なし設定）を入力する。入力後現金収容口を施錠。なお、管理者による条件設定は、通信モジュールによりインターネット接続によるパソコン、スマートフォンからの遠隔操作も可能。【００１１】翌日（１日目）、受取者が１の生態認証を行うと、３の現金払出口から千円札が１枚出る。直後に再度受取者が１の生態認証を行うと２のメッセージ画面に「本日は払出できません、翌日朝８時以降払出可能となります」と表示され、４のスピーカーから同様の音声が流れる。この一連のオペレーションがなされたことと、残高が千円札９枚になったことがメールにて管理者に発信される。【００１２】２日目、受取者は体調不良のため現金払出をしなかった。管理者に対しては、本日は受取者が払出オペレーションしなかったことと、残高が千円札９枚であることがメールにて発信される。【００１３】３日目、受取者が１の生態認証を行うと、１日目と同じく千円札が１枚のみ出る（２日目の未払金は合算払出しされない条件設定）。この一連のオペレーションがなされたことと、残高が千円札８枚になったことがメールにて管理者に発信される。【００１４】払出条件設定については、暦日管理につき例えば曜日により金額を変更したり、年末年始などは増額するといった入力設定も可能。また、１日あたり複数回も可能とし、受取者の現金管理能力の度合いに合わせた設定ができるようにする。
【符号の説明】１  生態認証システム
２  メッセージ画面
３  現金払出口
４  音声スピーカー
５  セキュリティエリア（現金収容口、ＵＳＢポート）
６  固定金具
【図１】
0003223914.tif 000003
【図２】
0003223914.tif 000004
【図３】
0003223914.tif 000005
(57)【要約】      （修正有）【課題】トランプに元々ある４つのマーク（スペード、ダイア、クラブ、ハート）の４つ以外のオリジナルのマークを追加して遊べるゲーム用カードを提供する。【解決手段】オリジナルマーク１種につき、トランプに使用するＡ〜Ｋまでの記号、及び、２〜１０までの数字、記号が各カードの表面に明記されている。【選択図】図１
0003223911.tif 000002
【実用新案登録請求の範囲】
【請求項１】
オリジナルマーク１種につき、トランプに使用するＡ〜Ｋまでの記号、及び、２〜１０までの数字、記号が各カードに明記されている、ゲーム用カード。
【請求項２】
裏面デザインを統一した表面が無地のカードには、オリジナルマークや数字が描き込み可能であり、追加カードとして使用されることができる、ことを特徴とする請求項１に記載のゲーム用カード。
【考案の詳細な説明】
【技術分野】
【０００１】この考案は、従来のトランプゲームに縛られたマークのあり方を一変させ、かつ好みのマークを追加できることで、よりトランプゲームを楽しめる考案であり、ミックストランプと称されるものに関する。
【考案の概要】
【考案が解決しようとする課題】
【０００２】  従来のトランプゲームに縛られたマークのあり方を一変させ、かつ好みのマークを追加できることで、よりトランプゲームを楽しめるミックストランプを提案する。【０００３】オリジナルマーク１種につき、トランプに使用するＡ〜Ｋまでの記号、及び、２〜１０までの数字、記号が各カードに明記されている、ゲーム用カードとする。【０００４】裏面デザインを統一した表面が無地のカードには、オリジナルマークや数字が描き込み可能であり、追加カードとして使用されることができる、ことを特徴とする請求項１に記載のゲーム用カードする。【０００５】オリジナルマークを加えても、トランプとして遊ぶための支障のないよう、裏面を統一した通常のトランプカード（スペード、ダイヤ、クラブ、ハート各１３枚とジョーカー２枚の５４枚１セット）をミックストランプの基本セットとして提供する。【０００６】ミックストランプに加えるカードとして、表面のオリジナルマークを統一した１３枚のカードを用意する。その際、オリジナルマークを明記するトランプカードは、ミックストランプの裏面デザインに統一されたトランプカードを使用するものとする。【０００７】表面が無地のミックストランプカードにマークや数字、記号を描き込んでオリジナルのミックストランプカード（追加カード）として加えてもよい。その際、オリジナルマークを明記するトランプカードは、ミックストランプの裏面デザインに統一されたトランプカードを使用するものとする。【０００８】オリジナルマークのカードを加える際に、従来のマーク（スペード、ダイヤ、クラブ、ハート）は遊ぶゲームにより任意で抜いてもよい。また、加えるオリジナルマークが１種以上でもよい。従来のマークをすべて抜いて、オリジナルマークだけで遊んでもよい。【０００９】ミックストランプは従来のトランプに使われている４つのマーク（スペード、ダイヤ、クラブ、ハート）に、オリジナルマークのカードを加えたものなので、トランプで遊べる各種ゲームをすべて楽しむことができる。【００１０】なお、この考案は、上記実施形態に限定されるものではなく、この考案の範囲内で上記実施形態に多くの修正及び変更を加え得ることは勿論である。例えば、上記実施形態においては、各種類の１３枚の一般カード（１）〜（４）に表示されるイラスト、記号、数字は、色や配置、大きさは、見易くて、トランプゲームを支障無く行うことができれば、上記実施形態に限定されるものには限らない。
【考案の効果】
【００１１】以上の説明から明らかなように、この考案は、スペード、ハート、ダイヤ、クラブの各種類の１３枚のカード以外に、別途用意した数々のオリジナルマークのミックストランプから、好みのマークのミックストランプカードを使って遊ぶことができる。
通常のトランプとして遊ぶだけでなく、好みのマークのミックストランプカードを持ち寄り、それらのオリジナルカードを混ぜて、慣れ親しんだ数多くのトランプゲームを気軽に楽しむことができる。【００１２】裏面を統一した無地のミックストランプカードにイラストを描くことで、オンリーワンのトランプカードを作ることができる。これによりゲームとして遊ぶだけでなく、プレゼントやコレクションとしての用途にも使える。
【図面の簡単な説明】
【図１】この考案の一実施形態に係るトランプのカード構成の一覧を示す図である。
【考案を実施するための形態】
【００１３】オリジナルマークを加えても、トランプとして遊ぶための支障のないよう、裏面を統一した通常のトランプカード（スペード、ダイヤ、クラブ、ハート各１３枚とジョーカー２枚の５４枚１セット）をミックストランプの基本セットとして提供する。
【００１４】ミックストランプに加えるカードとして、表面のオリジナルマークを統一した１３枚のカードを用意する。その際、オリジナルマークを明記するトランプカードは、ミックストランプの裏面デザインに統一されたトランプカードを使用するものとする。
【００１５】表面が無地のミックストランプカードにマークや数字、記号を描き込んでオリジナルのミックストランプカード（追加カード）として加えてもよい。その際、オリジナルマークを明記するトランプカードは、ミックストランプの裏面デザインに統一されたトランプカードを使用するものとする。
【００１６】オリジナルマークのカードを加える際に、従来のマーク（スペード、ダイヤ、クラブ、ハート）は遊ぶゲームにより任意で抜いてもよい。また、加えるオリジナルマークが１種以上でもよい。従来のマークをすべて抜いて、オリジナルマークだけで遊んでもよい。
【００１７】ミックストランプは従来のトランプに使われている４つのマーク（スペード、ダイヤ、クラブ、ハート）に、オリジナルマークのカードを加えたものなので、トランプで遊べる各種ゲームをすべて楽しむことができる。
【００１８】なお、この考案は、上記実施形態に限定されるものではなく、この考案の範囲内で上記実施形態に多くの修正及び変更を加え得ることは勿論である。例えば、上記実施形態においては、各種類の１３枚の一般カード（１）〜（４）に表示されるイラスト、記号、数字は、色や配置、大きさは、見易くて、トランプゲームを支障無く行うことができれば、上記実施形態に限定されるものには限らない。
【符号の説明】▲１▼  スペードの一般カード
▲２▼  ダイヤの一般カード
▲３▼  クラブの一般カード
▲４▼  ハートの一般カード
▲５▼  ジョーカー用のカード
▲６▼  オリジナルマークのカード
▲７▼  オリジナルマークのカード
【図１】
0003223911.tif 000003
【手続補正書】
【提出日】令和1年7月3日(2019.7.3)
【手続補正１】
【補正対象書類名】実用新案登録請求の範囲
【補正対象項目名】全文
【補正方法】変更
【補正の内容】
【実用新案登録請求の範囲】
【請求項１】
オリジナルマーク１種につき、トランプに使用するＡ〜Ｋまでの記号、及び、２〜１０までの数字、記号が各カードの表面に明記されている、ゲーム用カード。
【請求項２】
裏面デザインを統一した表面が無地のカードには、オリジナルマークや数字が描き込み可能であり、追加カードとして使用されることができる、ことを特徴とする請求項１に記載のゲーム用カード。
(57)【要約】      （修正有）【課題】短時間で素手を使用せず、大きさが均一の表面がきれいなケーキボールを量産する中空半球状成形器を提供する。【解決手段】球状のケーキボールを製造する一対の中空半球状成形型１、２であって、中空半球状成形型１、２の一部に貫通孔４を有し、開口縁近傍の内部に円周に沿って凹部を設けた。中空半球状成形型１、２を２個使用し、一方の中空半球状成形型２にケーキ生地を入れ、もう一方の中空半球状成形型１でふたをするように回すことにより、表面のきれいな整った球状のケーキボールを作成する。【選択図】図１
0003223913.tif 000002
【実用新案登録請求の範囲】
【請求項１】
球状のケーキボールを製造する一対の中空半球状成形型であって、前記中空半球状成形型の一部に貫通孔を有し、開口縁近傍の内部に円周に沿って凹部を設けたことを特徴とする中空半球状成形型。
【請求項２】
ポリピロピレン樹脂製であることを特徴とする請求項１記載の中空半球状成形型。
【考案の詳細な説明】
【技術分野】
【０００１】本考案は球状のケーキボールを製造するのに好ましい中空半球状成形型に関する。
【背景技術】
【０００２】本考案はケーキ生地を手を使わず、きれいに手早く，丸く成形できるものである。ケーキポップスはケーキ生地を丸く成形したものにチョコレートなどをコーティングし、その上にデコレーションを施し、味のみならず見た目も重視されるものである。真円で表面が滑らかでツルツルのケーキポップスを作成するのには手で丸める方法であると限界があるのである。丸く成形したケーキ生地にきれいにチョコレートをコーティングするには完璧な球体であることが必要とされる。シュガーデコレーションの分野においての優劣は、その出来上がりの見た目の完成度にかなり左右されるものである。従来の手で丸める方法であると指紋や指の跡が残ったり、表面がきれいに滑らかにならない上、作成に時間がかかってしまう。これらのことを解決するために本考案を開発した。
【考案の概要】
【考案が解決しようとする問題】
【０００３】ケーキボールを大量に形成する場合、手で丸めると大きさが均一にならない上、表面もいびつになり時間がかかりすぎるという問題があった。
【課題を解決するための手段】
【０００４】上記の問題点は球状のケーキボールを製造する一対の中空半球状成形型であって、前記中空半球状成形型の一部に貫通孔を有し、開口縁近傍の内部に円周に沿って凹部を設けたことを特徴とする中空半球状成形型を用いることによって解決できる。更に本考案はポリプロピレン樹脂製の中空半球状成形型を用いることを含む。
【考案の効果】
【０００５】本考案は中空半球状成形型を使用することによりケーキボールを作成する時間の短縮化、大きさ、形の均一化、又、表面を滑らかに美しくすることが出来る。中空半球状成形型の開口縁近傍の内部に円周に沿って凹部を設けたことにより内部のケーキボールがよく回転し、よりきれいで滑らかな表面のケーキボールが出来上がる。又、中空半球状成形型の一部に貫通孔を有することによりケーキボールをはずしやすくすることもできる。
【図面の簡単な説明】
【０００６】
【図１】一対の中空半球状成形型を開口円で組み合わせた正面図である。
【図２】中空半球状成形型の内部を示す概略図である。
【図３】中空半球状成形型の断面図である。
【考案を実施するための形態】
【０００７】図１は、一対の中空半球状成形型を開口縁で２つ合わせ、その合わせ目が正面に見えるようにした図である。例えば、中空半球状成形型１にケーキ生地を入れ、もう一方の中空半球状成形型２をふたのように被せ、回しながらケーキ生地の形を整える。何周か回し、ふた部分となっている中空半球状成形型２を外すとケーキボールが作製できる。
【０００８】図２は、一つの中空半球状成形型の内部が見えるよう記載した概略図である。この中空半球状成形型の一部に貫通孔４を有する。貫通孔４があることにより中空半球状成形型からケーキ生地がはずしやすくなる。凹部３は、開口縁の近傍内部に円周に沿って設ける。
【０００９】図３は、中空半球状成形型の断面図である。その縁近傍の内部に円周に沿って凹部を設けることにより、中空半球状成形型１と２を合わせた型の中でケーキ生地が回転し、より表面の滑らかなケーキボールが出来上がる。
中空半球状成形型の材質は金属でも樹脂でも構わないが、樹脂が好ましく、ポリプロピレン樹脂であることがより好ましい。
貫通孔４の直径は１．５〜２．５ミリメートルが好ましく、１．７〜２．３ミリメートルがより好ましく、１．９〜２．１ミリメートルがさらに好ましく、２ミリメートルが最も好ましい。
凹部３の半径は１ミリ程度が好ましい。
【符号の説明】
【００１０】１  中空半球状成形型
２  中空半球状成形型
３  凹部
４  貫通孔
【図１】
0003223913.tif 000003
【図２】
0003223913.tif 000004
【図３】
0003223913.tif 000005
(57)【要約】      （修正有）【課題】財布の本来裏表の全面を貼り合わせる箇所に小銭を収納できる中空空間を設けることで、より体積を小さく効率的に小型財布を提供する。【解決手段】本考案は財布のかぶせとなるパーツの財布本体兼小銭入れ部分裏１と財布本体兼小銭入れ部分表２の本来全面貼り合わせられるべき部分を中空に仕立てる構造と、同パーツにカードポケット構成パーツ５を縫い込みカードポケット仕切りステッチ１、７、カードポケット仕切りステッチ２、８を縫うことで使いやすくかさばらない。【選択図】図１
0003223951.tif 000002
【実用新案登録請求の範囲】
【請求項１】
財布本体の主たるパーツや、財布のかぶせとなるパーツの裏（１）表（２）となる素材を中空になるように組み立てることでその空間に小銭を収納し、３の切り込みから小銭の出し入れを行う構造に、カードを収納するポケットを組み合わせることで、小銭・カード・お札の収納が出来、小銭を収納することが無かったとしても小銭ポケット部分が余計な厚みを持たないことを特徴とする財布。
【請求項２】
請求項１に記載の財布において、小銭を収納する１と２を合わせたパーツを紙幣が覆える長さにし、紙幣の片方を６のポケットに挿入し、もう片方を３の切り込みで押さえることで紙幣の収納を容易にすることを特徴とした財布。
【請求項３】
請求項１に記載の財布において、４に５のパーツを縫い込み７，８を縫うことで少ない縫製で効率的に小銭・カード・お札の収納が出来る構造かつ内容物の見やすい事を特徴とする財布。
【考案の詳細な説明】
【技術分野】
【０００１】  本考案は、かさばらない小銭入れ部分とカード・紙幣の収納部分を備えた財布に関するものである。
【背景技術】
【０００２】  従来の小型財布・三つ折り財布は本体を小さく設計しても、見やすく取り出しやすい小銭入れ部分を設けるとその部分の体積が加わり意図したサイズより大きくなり、加えて縫製工程は減らすことが難しい。サイズをより小さくした場合内容物の見にくさにつながり、使いやすさと・品質・コストパフォーマンスの高さのすべてを叶えるのが難しい。【０００３】  今後電子マネー化が進み小銭を不要とする消費者が増えると見込まれ、小銭を持たなくなって以降に財布の小銭入れ部分が邪魔となってしまう。
【考案の概要】
【考案が解決しようとする課題】
【０００４】  財布を小さく持ちたいと思う消費者にとっての財布の無駄な体積や、構造の複雑さからのコスト上昇によるサイズに対しての割高感を解決しようとするものである。
【課題を解決するための手段】
【０００５】  本考案は、財布の構造のなかに小銭入れ専用の部分を構築せずに、財布の外側となるパーツの表と裏を完全に接着せず中空にし、裏部分の素材に入れた切り込みから小銭を入れることで無駄な体積を付加することなく、かつ請求項３の仕様を組み合わせることで縫製工程を簡略化し、使いやすさと・品質・コストパフォーマンスの高さのすべてを叶えるのが難しいという問題点を解決している。
【考案の効果】
【０００６】  上述の様に、本考案の構造的厚みのない小銭入れ部分を有する小さい財布は、使いやすさと・品質・コストパフォーマンスの高さを叶え、小さい財布を使いたい消費者に向け好適な財布になる。
【図面の簡単な説明】
【０００７】
【図１】本考案に係る財布を開いた状態の外観図
【図２】本考案に係る財布を閉じた状態の外観図
【図３】本考案に係る財布の使用時の図１
【図４】本考案に係る財布の使用時の図２
【考案を実施するための形態】
【０００８】  本考案の財布は、９と１０のボタンを取り付け、１と２のパーツの外周を接着する際に４に５を入れ込み、接着した１と２の外周を縫い合わせた後、７，８を縫うことで形作る。
【実施例】
【０００９】  本考案の財布は、図１における９と１０のボタンで開閉し、開いた状態では１１、１２にカード、６にはカードと紙幣、１と２を合わせ４を含む一周を縫い合わせた内部の中空空間には３の切り込みから小銭を収納する。収納された小銭は１０のボタン付近に収められ、３の切り込みによって出来た９を有するベロ状の部分で受けながら取り出す。６に収納された紙幣は、６に挿入された側のもう一方の側が３の切り込みによって出来た９を有するベロ状の部分に挟んで押さえられ、１と２を縫い合わせた小銭入れ部分で紙幣と１１，１２のカード入れ部分を巻き込み９と１０のボタンを合わせて閉じる。
【符号の説明】
【００１０】１  財布本体兼小銭入れ部分裏
２  財布本体兼小銭入れ部分表
３  小銭出し入れ切り込み兼紙幣押さえ
４  小銭入れ部底辺ステッチ
５  カードポケット構成パーツ
６  カード・紙幣入れ
７  カードポケット仕切りステッチ１
８  カードポケット仕切りステッチ２
９  メスボタン
１０  オスボタン
１１  カード入れ１
１２  カード入れ２
【図１】
0003223951.tif 000003
【図２】
0003223951.tif 000004
【図３】
0003223951.tif 000005
【図４】
0003223951.tif 000006